(57)【特許請求の範囲】
【請求項１】
筐体の前面側に吸い込み口と、この吸い込み口の上下両端部に複数の吹き出し口が設けられ、前記吸い込み口の上部と下部の筐体内部にそれぞれ熱交換器と前記熱交換器の風下側に設けられたクロスフローファンと、前記吹き出し口に通ずる空気流路とを具備する室内側送風ユニットであって、上部の吹き出し口と上部の空気流路とを略水平方向に向けて、下部の吹き出し口と下部の空気流路とを水平方向より下方向に向けて形成するとともに、前記熱交換器は、風下側にくの字型に突出して前記吸い込み口との間に空間を介して配置された中間熱交換器と、前記中間熱交換器に連結された下部熱交換器とから構成されることを特徴とする空気調和機。
【発明の詳細な説明】
【０００１】
【発明の属する技術分野】
本発明は、室内の冷房または暖房を行う空気調和機に関するものである。
【０００２】
【従来の技術】
従来のこの種の空気調和機は特開平１０−３０８２７号公報に記載されているように、図８および図９に示すような構成となっている。すなわち、図８は空気調和機の室内ユニットＳの外観図で、ここでは、室内ユニットＳは室内の壁面底部近傍に取り付け固定されている。図９は室内ユニットＳの縦断面図である。
【０００３】
図９に示すように、空気調和機本体１０１の前面側中央部には吸い込み口１０２が形成されるとともに、空気調和機本体１０１の内部に吸い込み口１０２に対向して熱交換器１０３が配置されている。熱交換器１０３は吸い込み口１０２の風下側に突出し、吸い込み口１０２との間に空気を介して突出状に配置される中間熱交換器部１０４およびこの吸い込み口１０２と平行に配置される上部熱交換器部１０５と下部熱交換器部１０６とから構成される。
【０００４】
そして、中間熱交換器部１０４の上部１０４ａと上部熱交換器部１０５の風下側には、上部クロスフローファン１０７と、クロスフローファン１０７に風上側が近接、対向して位置する上部スタビライザ１０８と上部リアガイダ１０９とで上部流路１１０が形成されており、上部吹き出し口１１１に連通している。また同様に中間熱交換器部１０４の下部１０４ｂと下部熱交換器部１０６の風下側には、下部クロスフローファン１１２と、下部クロスフローファン１１２に風上側が近接、対向して位置するドレン受けを兼用した下部スタビライザ１１３と下部リアガイダ１１４とで下部流路１１５が形成されており、下部吹き出し口１１６に連通している。
【０００５】
【発明が解決しようとする課題】
しかしながら上記従来の構成では、上部流路１１０と下部流路１１５が上下でほぼ対称形となっているため、空気調和機本体１０１を室内壁面の底部近傍に取り付けた場合、下部流路１１５に沿う主流は下部吹き出し口１１６の近くで床面に到達するため、主に室内空調は上部流路１１０に沿う主流に依存してしまう。かといって上下対称形で上下とも水平方向に吹き出せば、室内の上部空間の空調がなされず、室内全体の温度分布が不均一になってしまう。
【０００６】
また空気調和機本体１０１を壁面上部近傍に取り付けた場合や天井面近傍の壁面に埋め込んで据付けた場合、同様に上部流路１１０に沿う主流は上部吹き出し口１１１の近くで天井面に到達するため、主に室内空調は下部流路１１５に沿う主流に依存してしまうという課題を有していた。
【０００７】
また下部リアガイダ１１４と空気調和機本体１０１との間の空間には補助配管１１７が収納されているが、上部リアガイダ１０９と空気調和機本体１０１との空間はデットスペースとなっている。このため本体高さ寸法が大きくなるという課題を有していた。
【０００８】
本発明は、このような従来の課題を解決するものであり、本体寸法を大きくすることなく室内全体の温度分布を均一化し、快適性の向上を図る空気調和機を提供することを目的とする。
【０００９】
【課題を解決するための手段】
上記目的を達成するために本発明は、筐体の前面側に吸い込み口と、この吸い込み口の上下両端部に複数の吹き出し口が設けられ、前記吸い込み口の上部と下部の筐体内部にそれぞれ熱交換器と前記熱交換器の風下側に設けられたクロスフローファンと、前記吹き出し口に通ずる空気流路とを具備する室内側送風ユニットであって、上部の吹き出し口と上部の空気流路とを略水平方向に向けて、下部の吹き出し口と下部の空気流路とを水平方向より下方向に向けて形成するとともに、前記熱交換器は、風下側にくの字型に突出して前記吸い込み口との間に空間を介して配置された中間熱交換器と、前記中間熱交換器に連結された下部熱交換器とから構成されることを特徴とするものである。これにより、空気調和機本体の据え付ける位置による部屋全体の温度の不均一性を改善することができ、快適性の向上を図ることができる。
【００１０】
【発明の実施の形態】
請求項１に記載の発明は、筐体の前面側に吸い込み口と、この吸い込み口の上下両端部に複数の吹き出し口が設けられ、前記吸い込み口の上部と下部の筐体内部にそれぞれ熱交換器と前記熱交換器の風下側に設けられたクロスフローファンと、前記吹き出し口に通ずる空気流路とを具備する室内側送風ユニットであって、上部の吹き出し口と上部の空気流路とを略水平方向に向けて、下部の吹き出し口と下部の空気流路とを水平方向より下方向に向けて形成するとともに、前記熱交換器は、風下側にくの字型に突出して前記吸い込み口との間に空間を介して配置された中間熱交換器と、前記中間熱交換器に連結された下部熱交換器とから構成されることを特徴とするもので、天井近くの壁に設置した場合、上下それぞれの主流は、天井面や床面にすぐ到達することなく部屋全体を循環し、これにより部屋の温度分布が良くなるため快適性が向上する。
【００１１】
また、熱交換器が風下側にくの字型に突出して配置される構成とするもので、これにより筐体の高さ方向の寸法を大きくすることなく熱交換器面積を増大することができ、熱交換能力の向上を図ることができる。
【００１２】
【実施例】
以下、本発明の一実施例について図面を参照して説明する。
【００１３】
（実施例１）
図１は本発明の空気調和機の室内ユニットを居室内に設置した場合の斜視図であり、室内ユニットの本体（筐体または空気調和機本体）１は天井近くの壁に本体奥行き方向の寸法の半分以上を埋め込んで設置されている。図２は図１の縦断面図である。
【００１４】
図２に示すように、空気調和機本体１は、前面に空気の吸い込みを行う吸い込み口２と、この吸い込み口２の上部には上部風向羽根３によって開閉される上部吹き出し口４を有し、吸い込み口２の下部には同様に下部風向羽根５によって開閉される下部吹き出し口６を有している。
【００１５】
空気調和機本体１の内部には吸い込み口２に平行してして熱交換器７が配置されている
。熱交換器７のさらに風下側の上部には、上部クロスフローファン８と、このクロスフローファン８に風上側が近接、対向して位置する上部スタビライザ１０と上部リアガイダ９とで上部空気流路１１が形成されており、上部吹き出し口４に連通している。また熱交換器７の風下側の下部には、下部クロスフローファン１２と、この下部クロスフローファン１２に風上側が近接、対向して位置するドレン受け兼用の下部スタビライザ１４と下部リアガイダ１３とで下部空気流路１５が形成されており、下部吹き出し口６に連通している。
【００１６】
これら上部クロスフローファン８、下部クロスフローファン１２が回転し送風作用をしているとき、吸い込み口２から空気を吸入し、熱交換器７を経由して熱交換され、上空気流路１１、下部空気流路１５より上部吹き出し口４、下部吹き出し口６へとそれぞれ空気が流れ、送風作用をする。
【００１７】
上部リアガイダ９と上部スタビライザ１０とからなる上部空気流路１１はほぼ水平方向を向き、上部吹き出し口４から吹き出す主流は水平方向を向く。下部リアガイダ１３と下部スタビライザ１４とからなる下部空気流路１５は水平より下方向を向き、下部吹き出し口６から吹き出す主流は水平より下方向を向く。このため上下それぞれの主流は、天井面や床面にすぐ到達することなく部屋全体を循環し、これにより部屋の温度分布が良くなるため快適性が向上する。
【００１８】
（実施例２）
図３は第２の実施例の空気調和機の室内ユニットの縦断面図である。図２に示したものと同様の構成には同様の番号を付し説明を省略する。
【００１９】
図示のように、熱交換器７は吸い込み口２の風下側に逆くの字型に突出し、吸い込み口２との間に空間を介して配置される中間熱交換器部１６、およびこの吸い込み口２と平行に配置される下部熱交換器部１７とから構成される。
【００２０】
中間熱交換器部１６は上下に分割され、下部熱交換器１７と分割された下部中間熱交換器１６ａとが端板（図示せず）によって連結されて第１の熱交換器単体７Ａが形成されている。また分割された上部中間熱交換器１６ｂは単独で折り曲げ部のない第２の熱交換器単体７Ｂを形成している。
【００２１】
上記の構成とすることで、空気調和機本体１の高さ方向の寸法を大きくすることなく熱交換器面積を増大することができ、熱交換器能力の向上が図れる。
【００２２】
（参考例１）
本発明の補助配管の配置位置に関する第１の参考例を図４を用いて説明する。図３に示したものと同様の構成には同様の番号を付し説明を省略する。
【００２３】
図示のように、吸い込み口２の風下側に突出した中間熱交換器部部１６と、吸い込み口２との間の空間には補助配管１８が通して設けられている。
【００２４】
補助配管１８は、従来例の図９に示されたものと同じように、下部リアガイダ１３と空気調和機背面の本体台枠１９のコーナー部との間の部分に配置（図３参照）するよりも、上記した位置とすることで、空気調和機本体１の奥行き方向の寸法、または高さ方向の寸法を大きくすることなくリアガイダ１３を拡大することができ、流量性能の向上を図ることができる。
【００２５】
（参考例２）
本発明のフィルターに関する第２の参考例を図５を用いて説明する。図３に示したものと同様の構成には同様の番号を付し説明を省略する。
【００２６】
図示のように、吸い込み口２の風下側に突出した中間熱交換器部１６と、吸い込み口２との間には熱交換器７の斜面に平行して上部フィルター２０ａと下部フィルター２０ｂが取り付けられている。上部フィルター２０ａおよび下部フィルター２０ｂが配置されていない吸い込み口２は遮蔽されており、空気の流れはすべて上部フィルター２０ａか下部フィルター２０ｂのいずれかを通過して熱交換器７に吸い込まれるので、部屋の空気を清浄できるとともに熱交換器７、上、下部クロスフローファン８、１２に埃等が付くのを極力抑えることができる。
【００２７】
また従来、フィルターは、吸い込み口と平行に配置されていた熱交換器の間に位置していたが、前記のような位置にすることで空気調和機の本体厚み方向の寸法を小さくすることができる。
【００２８】
（参考例３）
本発明のフィルターに関する第３の参考例を図６を用いて説明する。
【００２９】
本実施例は、図６に示すように、実施例４のフィルター２０の代わりに熱交換器７に沿う円弧状のフィルター２１にしたものである。これによって、フィルター２１を円弧状の一体化したものにでき、部品点数を減らすことができ、コストをより削減できる。
【００３０】
（参考例４）
本発明の送風経路に関する第４の参考例を図７を用いて説明する。図２に示したものと同様の構成には同様の番号を付し説明を省略する。
【００３１】
図示のように、下部スタビライザ１４の風上側の吸い込み部を形成する突端１４ａはクロスフローファン１２の最前部の接線（鎖線）Ｙより後方にあり、熱交換器７との間で距離を有している。
【００３２】
スタビライザ１４の突端１４ａを上記位置にすることで、空気調和機本体１の設計上必要な下部熱交換器部１７とクロスフローファン１２との距離Ｃを小さくすることができ、結果として空気調和機本体１の奥行き寸法を小さくすることができる。
【００３３】
【発明の効果】
上記実施例の説明から明らかなように、本発明の請求項１に記載の発明は、筐体の前面側に吸い込み口と、この吸い込み口の上下両端部に複数の吹き出し口が設けられ、前記吸い込み口の上部と下部の筐体内部にそれぞれ熱交換器と前記熱交換器の風下側に設けられたクロスフローファンと、前記吹き出し口に通ずる空気流路とを具備する室内側送風ユニットであって、上部の吹き出し口と上部の空気流路とを略水平方向に向けて、下部の吹き出し口と下部の空気流路とを水平方向より下方向に向けて形成するとともに、前記熱交換器は、風下側にくの字型に突出して前記吸い込み口との間に空間を介して配置された中間熱交換器と、前記中間熱交換器に連結された下部熱交換器とから構成されることを特徴とするものである。これらの構成によれば、部屋全体の温度分布がよくなり、快適性が向上する。また従来空洞となっていた上部リアガイダと本体台枠の間の空間を空気流路部などに活用して筐体の高さ方向の寸法を小さくすることができるという効果を奏する。
【００３４】
また、前記熱交換器を風下側にくの字型に突出して配置することにより、筐体の高さ方向の寸法を大きくすることなく、熱交換器面積を大きくすることができ、熱交換器能力の向上が図れるという効果を奏する。
【図面の簡単な説明】
【図１】  本発明の一実施例の空気調和機の斜視図
【図２】  同空気調和機の縦断面図
【図３】  本発明の第２の実施例の空気調和機の縦断面図
【図４】  本発明の第１の参考例の空気調和機の縦断面図
【図５】  本発明の第２の参考例の空気調和機の縦断面図
【図６】  本発明の第３の参考例の空気調和機の縦断面図
【図７】  本発明の第４の参考例の空気調和機の縦断面図
【図８】  従来の空気調和機の斜視図
【図９】  同空気調和機の縦断面図
【符号の説明】
１  空気調和機本体（筐体）
２  吸い込み口
４  上部吹き出し口
６  下部吹き出し口
７  熱交換器
８  上部クロスフローファン
９  上部リアガイダ
１０  上部スタビライザ
１１  上部空気流路
１２  下部クロスフローファン
１３  下部リアガイダ
１４  下部スタビライザ
１４ａ  突端
１５  下部流路
１８  補助配管
２０、２１  フィルター
【図１】
0003661471.tif 000002
【図２】
0003661471.tif 000003
【図３】
0003661471.tif 000004
【図４】
0003661471.tif 000005
【図５】
0003661471.tif 000006
【図６】
0003661471.tif 000007
【図７】
0003661471.tif 000008
【図８】
0003661471.tif 000009
【図９】
0003661471.tif 000010